(57)【特許請求の範囲】
【請求項１】
貯氷庫を構成する底壁の内面側にて同底壁の最下部から上方に傾斜して形成された上方の部位に氷送出口を有する断面略Ｕ字状の氷搬送樋と、前記氷搬送樋に沿って傾斜して回転可能に配設された氷塊送出スクリューと、前記貯氷庫の側壁の外面側に配設された駆動装置を備え、前記氷塊送出スクリューの回転軸の下端部は前記氷搬送樋の下側端壁に設けた軸受孔に回転自在に軸支され、前記回転軸の上端部は前記駆動装置の出力軸の先端部に連結されている氷搬出装置であり、前記軸受孔の開口側は漸次拡開して所定長さ延びる円錐面状の案内面に形成されているとともに、同軸受孔の中心軸線は前記氷搬送樋の底面がなす傾斜線と平行状態に形成されていて、前記軸受孔の案内面は、前記氷搬送樋上を下方へスライドする前記氷塊送出スクリューの回転軸の下端部に当接して同回転軸を軸受孔内に案内すべく機能することを特徴とする氷搬出装置。
【請求項２】
前記氷塊送出スクリューの回転軸の下端部は面取りされていることを特徴とする請求項１に記載の氷搬送装置。
【発明の詳細な説明】
【０００１】
本発明は、貯氷庫における氷搬出装置に関する。
【０００２】
【従来の技術】
貯氷庫が装備する氷搬出装置の一形式として、特開平１１−２３７１５３号公報に示されるように、貯氷庫を構成する底壁の内面側にて同底壁の最下部から上方に傾斜して形成された上方の部位に氷送出口を有する断面略Ｕ字状の氷搬送樋と、氷搬送樋に沿って傾斜して回転可能に配設された氷塊送出スクリューと、貯氷庫の側壁の外面側に配設された駆動装置を備え、氷塊送出スクリューの回転軸の下端部は氷搬送樋の下側端壁に設けた軸受孔に回転自在に軸支され、回転軸の上端部は駆動装置の出力軸の先端部に連結されている氷搬出装置がある。当該氷搬出装置においては、前記駆動装置を構成する電動モータを駆動させると、氷塊送出スクリューが回転して貯氷庫の底部に貯留されている氷塊が掻き揚げられて氷送出口まで搬送され、氷送出口を通して下方に放出している。
【０００３】
【発明が解決しようとする課題】
ところで、当該形式の氷搬出装置においては、氷塊送出スクリューを氷搬送樋内に配設する場合は、先ず、氷塊送出スクリューの回転軸の下端部を氷搬送樋の下側端壁に設けた軸受孔に挿入して、氷塊送出スクリューを軸受孔にて回転自在に軸支する必要がある。しかしながら、氷塊送出スクリューの回転軸の下端部を軸受孔に挿入する際には、氷塊送出スクリューの回転軸の下端部と軸受孔は氷塊送出スクリューのねじ状の羽根の陰に隠れて見えないため、回転軸の下端部の軸受孔への挿入はしづらいという問題がる。
【０００４】
本発明の目的は、かかる問題に対処することにあり、特に、軸受孔の形状および構造を考慮して、氷塊送出スクリューの回転軸の下端部の軸受孔内への挿入を容易にして、氷塊送出スクリューの氷搬送樋内への配設を容易にすることにある。
【０００５】
【発明の概要（課題を解決するための手段および発明の作用・効果）】
本発明は、貯氷庫における氷搬送装置に関するものである。本発明が適用対象とする氷搬出装置は、貯氷庫を構成する底壁の内面側にて同底壁の最下部から上方に傾斜して形成された上方の部位に氷送出口を有する断面略Ｕ字状の氷搬送樋と、前記氷搬送樋に沿って傾斜して回転可能に配設された氷塊送出スクリューと、前記貯氷庫の側壁の外面側に配設された駆動装置を備え、前記氷塊送出スクリューの回転軸の下端部は前記氷搬送樋の下側端壁に設けた軸受孔に回転自在に軸支され、前記回転軸の上端部は前記駆動装置の出力軸の先端部に連結されている形式の氷搬出装置である。
【０００６】
しかして、本発明に係る氷搬出装置においては、前記軸受孔の開口側は漸次拡開して所定長さ延びる円錐面状の案内面に形成されているとともに、同軸受孔の中心軸線は前記氷搬送樋の底面がなす傾斜線と平行状態に形成されていて、前記軸受孔の案内面は、前記氷搬送樋上を下方へスライドする前記氷塊送出スクリューの回転軸の下端部に当接して同回転軸を軸受孔内に案内すべく機能することを特徴とするものである。
【０００７】
本発明に係る氷搬出装置によれば、氷塊送出スクリューの回転軸の下端部を軸受孔に挿入する際には、氷塊送出スクリューを氷搬送樋の底面上に載置して、氷塊送出スクリューを軸受孔の方にスライドさせれば、氷塊送出スクリューの回転軸の下端部が軸受孔の案内面に当接する。この状態の氷塊送出スクリューをさらにスライドさせれば、回転軸の下端部は案内面に沿って軸受孔の中心部に案内されて、軸受孔内に挿入される。従って、氷塊送出スクリューのねじ状の羽根の陰に隠れて氷塊送出スクリューの回転軸の下端部と軸受孔が見えなくとも、氷塊送出スクリューの回転軸の下端部を軸受孔内に確実かつ容易に挿入して回転自在に軸支することができる。
【０００８】
また、本発明に係る氷搬出装置によれば、軸受孔の案内面は漸次拡開する円錐面状を呈していることから、軸受孔の内部の清掃が容易である。また、本発明に係る氷搬出装置において、氷塊送出スクリューの回転軸の下端部を面取りする構成にすれば、回転軸の下端部は案内面に沿って軸受孔に向かって一層スムーズに移動して、軸受孔内に挿入される。
【０００９】
【発明の実施の形態】
以下に、本発明の一実施の形態を図面を参照して説明すると、図１は本発明による氷搬出装置を適用したオープンセル型製氷機を示している。
【００１０】
このオープンセル型製氷機はハウジング１０を備えており、このハウジング１０内部には上下に配置した貯氷庫Ｒ１と機械室Ｒ２が形成されている。貯氷庫Ｒ１の底部と前部にはそれぞれ底壁１１と前壁１２が組み付けられており、これら両壁１１，１２、ハウジング１０および天板１３により貯氷庫Ｒ１が形成されている。この貯氷庫Ｒ１の内部上方には氷塊を生成して貯氷庫Ｒ１内に放出する製氷装置２０が設けられ、貯氷庫Ｒ１の底部にはその内部の氷塊を外部に放出する氷搬出装置３０が設けられている。
【００１１】
機械室Ｒ２内には、冷却された冷媒を製氷装置２０に供給するための圧縮機、凝縮器、冷却ファンよりなる冷凍機など（図示省略）が設けられている。なお、ハウジング１０は上方および前方に開口しており、ハウジング１０の上部にはハウジング１０の上部開口１０ａを覆蓋する天板１３が脱着可能に組み付けられ、ハウジング１０の前部にはハウジング１０の前部開口１０ｂを覆蓋する前扉１４が開閉自在に組み付けられている。また底壁１１と天板１３の下面にはそれぞれ断熱部材１５が設けられている。
【００１２】
氷搬出装置３０は、氷搬送樋４０とこの氷搬送樋４０の内部に長手方向に沿って回転自在に配設した氷塊送出スクリュー５０から構成されている。氷搬送樋４０は、貯氷庫Ｒ１の底壁１１に上側が開放された断面略Ｕ字状に形成され、底壁１１の最下部から上方に向けて傾斜して形成されている。この氷搬送樋４０の下端には端壁４１が設けられており、この端壁４１には氷塊送出スクリュー５０の下端部（先端部）を回転自在に軸支する軸受孔４２が設けられている。軸受孔４２の入口には、全周を拡げて円錐面状の案内面４２ａが形成されている。この案内面４２ａは、図２に示すように、氷搬送樋４０の底面上に氷塊送出スクリュー５０を載置した状態にて氷塊送出スクリュー５０の回転軸５１の先端部が案内面４２ａに当接するようになっている。
【００１３】
なお、本実施の形態のように案内面４２ａを軸受孔４２の入口の全周に円錐面状に形成するだけでなく、氷搬送樋４０の底面上に氷塊送出スクリュー５０を載置した状態にて氷塊送出スクリュー５０の回転軸５１の先端部が当接するように案内面４２ａを形成すればよく、例えば、案内面４２ａを軸受孔４２の入口の下側に氷搬送樋４０の底面に向けて傾斜させて形成するようにしてもよい。
【００１４】
氷搬送樋４０の上端は貯氷庫Ｒ１の側壁１２により閉塞され、氷搬送樋４０の上端部には氷搬出口４３が下方に開放して形成されている。なお氷搬出口４３は氷搬送樋４０の中間部に形成するようにしてもよい。
【００１５】
氷塊送出スクリュー５０は、回転軸５１とその外周面に設けたねじ状の羽根５２から構成されている。なおこのねじ状の羽根５２の先端外側には、回転軸５１と同軸的な円板状のエンドプレート５３が一体的に設けられている。この回転軸５１の下端部（先端部）が軸受孔４２に挿入され軸支されている。回転軸５１の先端部は面取りされている。一方回転軸５１の上端部は氷搬送樋４０の前端を閉塞する側壁１２を貫通し、貯氷庫Ｒ１の外側に突出し、この回転軸５１の突出部には側壁１２の外面に設けた駆動装置６０の出力軸６４が離脱可能に連結されている。なお回転軸５１の上端部に設けた一対の切り欠き５１ａと、この切り欠き５１ａに対応する回転軸５１の上端部に嵌入される小径の出力軸６４の先端部に設けたピン６４ａとが離脱可能に係合するようになっている。
【００１６】
駆動装置６０は電動モータ６１を有しており、この電動モータ６１の回転駆動はギヤボックス６２と減速機６３を介して出力軸６４に伝えられている。すなわち電動モータ６１が作動すると、回転軸５１が所定回転数にて所定方向へ回転するようになっている。また駆動装置６０は貯氷庫Ｒ１を構成する側壁１２の外面に気密的に組み付けたケーシング６５内に収容されている。
【００１７】
このように構成したオープンセル型製氷機は、駆動装置６０が作動すると氷塊送出スクリュー５０の回転により氷搬送樋４０内の氷塊を氷搬出口４３まで搬送して氷搬出口４３から下方に放出している。
【００１８】
上述したオープンセル型製氷機の組立について説明する。氷搬出装置３０の氷塊送出スクリュー５０を氷搬送樋４０内に組み付ける際には、特に氷塊送出スクリュー５０の回転軸５１の先端部を氷搬送樋４０の軸受孔４２に挿入する際には、氷塊送出スクリュー５０を氷搬送樋４０の底面上に載置して、氷塊送出スクリュー５０を軸受孔４２の方にスライドさせ氷塊送出スクリュー５０の回転軸５１の先端部を軸受孔４２の案内面４２ａに当接させた後に（図２参照）、さらに氷塊送出スクリュー５０をスライドさせれば、回転軸５１の先端部を案内面４２ａに沿って軸受孔４２の中心部へ案内して挿入する（図１参照）。
【００１９】
次にオープンセル型製氷機の貯氷庫Ｒ１の清掃について説明する。上述した組み付けと逆順序にて、氷搬送樋４０内から氷塊送出スクリュー５０を取り外した後に、軸受孔４２を清掃する際には、軸受孔４２の入口には全周を拡げて円錐面状の案内面４２ａが形成され軸受孔４２の入口が広くなっているので、軸受孔４２の清掃をより容易に行うことができる。
【００２０】
上述した説明から理解できるとおり、本実施の形態によれば、氷塊送出スクリュー５０の回転軸５１の先端部を軸受孔４２に挿入する際には、氷塊送出スクリュー５０を氷搬送樋４０の底面上に載置して、氷塊送出スクリュー５０を軸受孔４２の方にスライドさせ氷塊送出スクリュー５０の回転軸５１の先端部を軸受孔４２の案内面４２ａに当接させた後に、さらに氷塊送出スクリュー５０をスライドさせれば、回転軸５１の先端部を案内面４２ａに沿って軸受孔４２の中心部へ案内して挿入することとなる。したがって、氷塊送出スクリュー５０のねじ状の羽根５２およびエンドプレート５３の陰に隠れて氷塊送出スクリュー５０の回転軸５１の先端部と軸受孔４２が見えなくとも、確実かつ容易に氷塊送出スクリュー５０の回転軸５１の先端部を軸受孔４２に挿入して氷搬出装置３０を容易に組み立てることができる。
【００２１】
また、氷塊送出スクリュー５０の回転軸５１の先端を面取りしたものによれば、回転軸５１の先端部がよりスムーズに案内面４２ａに沿って移動するため軸受孔４２に一層入れやすくなる。
【００２２】
また、案内面４２ａを軸受孔４２の入口の全周を拡げて円錐面状に形成したものによれば、上述した作用および効果に加え、さらに軸受孔４２の入口が広くなるので、軸受孔４２の清掃をより容易に行うことができる。
【００２３】
なお、本発明による氷搬出装置は、オープンセル型製氷機に限られず、その他の形式の製氷機、外部で生成した氷塊を供給されて保存するのみの貯氷庫にも適用される。
【図面の簡単な説明】
【図１】  本発明による氷搬出装置を適用したオープンセル型製氷機の概略断面図である。
【図２】  図１に示す氷塊送出スクリューの組み付けを示す拡大断面図である。
【符号の説明】
１０…ハウジング、１０ａ…上部開口、１０ｂ…前部開口、１１…底壁、１２…前壁、１３…天板、１４…前扉、１５…断熱部材、２０…製氷装置、３０…氷搬出装置、４０…氷搬送樋、４１…端壁、４２…軸受孔、４２ａ…案内面、４３…氷搬出口、５０…氷塊送出スクリュー、５１…回転軸、５１ａ…切り欠き、５２…ねじ状の羽根、５３…エンドプレート、６０…駆動装置、６１…電動モータ、６２…ギヤボックス、６３…減速機、６４…出力軸、６４ａ…ピン、６５…ケーシング、Ｒ１…貯氷庫、Ｒ２…機械室。
【図１】
0004726345.tif 000002
【図２】
0004726345.tif 000003